(57)【特許請求の範囲】
【請求項１】
金融商品の売買取引のための入力を行う金融商品取引入力装置であって、
２次元領域内に描画されたラインの始点から終点までの軌跡に対応した座標値情報を入力する情報入力手段と、
前記座標値情報に基づいて前記ラインの始点から終点までの軌跡における一定区間毎の傾斜角度を算出する算出手段と、
１の前記区間の傾斜角度から該区間の１つ始点方向隣り区間の傾斜角度を減算する減算手段と、
前記減算値が所定値以上の場合、前記１の区間内の所定座標値情報に対応して演算された取引条件を第１の取引条件として、前記減算値がマイナスの所定値以下の場合、前記１の区間内の所定座標値情報に対応して演算された取引条件を第２の取引条件として作成する取引条件作成手段と
を有する金融商品取引入力装置。
【請求項２】
前記第１の取引条件及び第２の取引条件を一定の条件に基づきそれぞれ無効とする間引き手段を、更に有することを特徴とする請求項１記載の金融商品取引入力装置。
【請求項３】
前記一定の条件は、前記第１の取引条件又は前記第２の取引条件が所定数以上作成された場合、前記始点から終点方向に数えて前記所定数までの取引条件を有効とし、他の取引条件を無効とする請求項２記載の金融商品取引入力装置。
【請求項４】
前記第１の取引条件が買い注文、前記第２の取引条件が売り注文に係る取引条件であることを特徴とする請求項１乃至３の何れか記載の金融商品取引入力装置。
【請求項５】
前記取引条件作成手段は、更に別に描画されたラインの始点から終点までの軌跡に係る座標値情報の平均値に対応した演算された取引条件を第３の取引条件として作成する請求項１乃至４の何れか記載の金融商品取引入力装置。
【請求項６】
前記第３の取引条件がストップロスのための逆指値に係る取引条件であることを特徴とする請求項５記載の金融商品取引入力装置。
【請求項７】
金融商品の売買取引のための入力を行う金融商品取引入力方法であって、
情報入力手段が２次元領域内に描画されたラインの始点から終点までの軌跡に対応した座標値情報の入力を受け付け、
算出手段が該座標値情報に基づいて前記ラインの始点から終点までの軌跡に始点から順番に一定区間毎の傾斜角度を算出し、
減算手段が１の前記区間の傾斜角度からその１つ前に算出された傾斜角度を減算し、
取引条件作成手段が、前記減算値が所定値以上の場合、前記１の区間内の所定座標値情報に対応して演算された取引条件を第１の取引条件として、前記減算値がマイナスの所定値以下の場合、前記１の区間内の所定座標値情報に対応して演算された取引条件を第２の取引条件として作成する金融商品取引入力方法。
【請求項８】
クライアント端末の表示部に表示する情報を記憶する記憶手段が前記入力された座標値情報を記憶し、
演算手段が該記憶された座標値情報に対応する取引条件を演算する
各ステップを更に含む請求項７記載の金融商品取引入力方法。
【請求項９】
間引き手段が前記第１の取引条件及び第２の取引条件を一定の条件に基づきそれぞれ無効とする間引きステップを、更に含むことを特徴とする請求項７又は請求項８記載の金融商品取引入力方法。
【請求項１０】
前記一定の条件は、前記第１の取引条件又は前記第２の取引条件が所定数以上作成された場合、前記所定数までの取引条件を有効とし、それ以降の取引条件を無効とする請求項９記載の金融商品取引入力方法。
【請求項１１】
前記第１の取引条件が買い注文、前記第２の取引条件が売り注文に係る取引条件であることを特徴とする請求項７乃至１０の何れか記載の金融商品取引入力方法。
【請求項１２】
前記取引条件作成手段が、前記２次元領域内に描画された第２のラインの始点から終点までの軌跡に係る座標値情報の平均値に対応した演算された取引条件を第３の取引条件として作成するステップを、更に含む請求項７乃至１１の何れか記載の金融商品取引入力方法。
【請求項１３】
前記第３の取引条件がストップロスのための逆指値に係る取引条件であることを特徴とする請求項１２記載の金融商品取引入力方法。
【請求項１４】
コンピュータを請求項１乃至６の何れか記載の金融商品取引入力装置として機能させる、あるいはコンピュータに請求項７乃至１３の何れか記載の金融商品取引入力方法を実行させるプログラム。
【発明の詳細な説明】
【技術分野】
【０００１】
本発明は、外国為替等の相場価格が変動する金融商品の売買取引のための入力を行う金融商品取引入力装置及びその方法に関する。
【背景技術】
【０００２】
従来、外国為替や株式等の相場価格が変動する金融商品の取引方法として、注文時の価格で取引を行う成行注文の他に、指値注文が知られている。この指値注文とは、予め顧客から売買価格の指定を受ける注文形態のことであり、金融商品の取扱業者は対象となる金融商品が指定された金額まで下がったときに当該金融商品の買い注文を行い、あるいは、指定された金額まで上がったときに当該金融商品の売り注文を行う。この指値注文をコンピュータシステムを用いて行う発明が知られている（例えば、特許文献１参照）。
【０００３】
このようなコンピュータシステムを用いた金融商品取引の注文は、顧客自身が、クライアント端末を操作し、インターネットを介して金融商品の取引業者のサーバとの情報交換を行うことにより、注文条件、売買価格の指定などの各種の注文入力を行う。具体的には、注文条件、売買価格などの各項目の指定は、クライアント端末の操作画面の入力ボタンアイコンをマウスでクリック、あるいは手指などでタッチし、また、テンキーやプルダウンボタンにより、希望する売買価格の数値（買い注文の価格、売り注文の価格）、期限、注文形式などの入力を行う必要があった。
【０００４】
一方、外国為替や株式等の相場価格が変動する金融商品においては、顧客は過去の相場価格の変動を参照しながら将来の相場価格を予測して指値注文を行っている。
【先行技術文献】
【特許文献】
【０００５】
【特許文献１】特開２００６−９９７８７号公報
【発明の概要】
【発明が解決しようとする課題】
【０００６】
しかしながら、上記のような顧客自身が行う各種の注文入力操作は、テンキーやプルダウンボタンによる希望売買価格の数値、期限、注文形式などの入力操作に時間がかかることがあり、価格が不規則に変動する金融商品の取引では、顧客が取引機会を逃し不利益を被ることがあった。そのため、金融商品取引のクラアイント端末による注文入力操作をできるだけ簡単に行いたいという顧客からのニーズがあった。
【０００７】
一方、顧客が指値注文を行う場合には、できるだけ簡単に相場価格の変動予測に対応して売買価格を決めたいという顧客からのニーズもあった。
【０００８】
本発明は、上述した課題に鑑みてなされたものであり、その目的は、金融商品取引の売買取引のための注文入力操作において、注文入力操作を簡単で分かり易くし、迅速な金融商品取引を行うことができる金融商品取引入力装置及びその方法を提供することにある。
【課題を解決するための手段】
【０００９】
上記目的を達成するため、本発明にかかる金融商品取引入力装置は、２次元領域内に描画されたラインの始点から終点までの軌跡に対応した座標値情報を入力する情報入力手段と、前記座標値情報に基づいて前記ラインの始点から終点までの軌跡における一定区間毎の傾斜角度を算出する算出手段と、１の前記区間の傾斜角度から該区間の１つ始点方向隣り区間の傾斜角度を減算する減算手段と、前記減算値が所定値以上の場合、前記１の区間内の所定座標値情報に対応して演算された取引条件を第１の取引条件として、前記減算値がマイナスの所定値以下の場合、前記１の区間内の所定座標値情報に対応して演算された取引条件を第２の取引条件として作成する取引条件作成手段とを有することを特徴とする。
【００１０】
本発明によれば、２次元領域内に描画されたラインに対応する座標値情報に基づいて算出された所定条件を満たす取引条件が作成されるので、顧客は２次元領域内にラインを描画することによって簡単かつ迅速に取引条件を確認できるように画面表示することができる。
【００１１】
上記態様では、前記第１の取引条件及び第２の取引条件を一定の条件に基づきそれぞれ無効とする間引き手段を、更に有するのが好ましい。このような構成により、一定の条件下では注文を無効にし注文数を制限することができる。
【００１２】
上記態様では、前記一定の条件は、前記第１の取引条件又は前記第２の取引条件が所定数以上作成された場合、前記始点から終点方向に数えて前記所定数までの取引条件を有効とし、他の取引条件を無効とするのが好ましい。このような構成により、第１の注文又は第２の注文が所定数を超えると無効になるので、所定注文数を超える場合には注文ができないようになり、事業者・顧客間の取引の安全を図ることができる。
【００１３】
上記態様では、前記第１の取引条件が買い注文、前記第２の取引条件が売り注文に係る取引条件であるのが好ましい。このことによって、簡単に所定条件に合う買い注文と売り注文を作成することが可能になる。
【００１４】
上記態様では、前記取引条件作成手段は、更に別に描画されたラインの始点から終点までの軌跡に係る座標値情報の平均値に対応した演算された取引条件を第３の取引条件として作成するのが好ましい。このような構成により、１本目とは別に描画されたラインの座標値の平均値によって演算された取引条件を第３の取引条件として作成する第３の注文を作成することができるので、顧客が所望する金融商品の買い注文、売り注文の他の第３のについて簡単に注文することができる。
【００１５】
上記態様では、前記第３の取引条件がストップロスのための逆指値に係る取引条件であるのが好ましい。このことによって、顧客の取引の安全を図る取引条件を作成することができる。
【発明の効果】
【００１６】
本発明の金融商品取引入力装置及びその方法によれば、金融商品取引のクラアイント端末による注文入力操作において、２次元の描画入力エリアに描画されたラインの始点から終点までの軌跡における一定区間の傾斜角度差と、所定座標値情報に対応して演算された取引条件から２つの取引条件が作成されるので、注文入力操作が簡単でより分かり易くなり、迅速に金融商品取引の入力を行うことができる。
【図面の簡単な説明】
【００１７】
【図１】本発明の一実施形態に係る金融商品取引入力装置を構成する金融商品取引管理システムの構成図である。
【図２】クライアント端末２の制御部２３の内部構成を示すブロック図である。
【図３】本実施形態の金融商品取引入力装置の入力画面の一例を示す図である。
【図４Ａ】本発明の一実施形態に係る金融商品取引入力方法を示すフローチャートである。
【図４Ｂ】本発明の一実施形態に係る金融商品取引入力方法を示すフローチャートである。
【図５】本実施形態に係るライン処理の一例を説明するための図である。
【図６】本実施形態に係るライン処理の他の例を説明するための図である。
【図７】予測注文指示のために描画したラインの一例を示す図である。
【図８】本実施形態の金融商品取引入力装置の入力画面の第２の例を示す図である。
【図９】本実施形態の金融商品取引入力装置の入力画面の第３の例を示す図である。
【発明を実施するための形態】
【００１８】
以下、本発明の一実施形態に係る金融商品取引入力装置ついて図面に基づき、詳細に説明する。なお、本発明は、これに限定されて解釈されるものではなく、本発明の範囲を逸脱しない限りにおいて、当業者の知識に基づいて、種々の変更、修正、改良を加え得るものである。
【００１９】
［第１の実施形態］
図１は、本実施形態の金融商品取引入力装置を含む金融商品取引管理システムの構成図である。図１に示すとおり、金融商品取引管理システム１００は、金融商品取引管理装置１とクライアント端末２を備えており、金融商品取引管理装置１とクライアント端末２は、ＷＡＮ（Wide Area Network）としてのインターネット３を介して相互に交信可能である。金融商品取引管理システム１００は金融商品として外国為替を取扱う。なお、クライアント端末（金融商品取引入力装置）２は、同じ構成を持つＮ個（Ｎ≧１）のクライアント端末２１，・・・，２Ｎで構成される。
【００２０】
金融商品取引管理装置１は、金融商品の取扱業者が管理し運用するサーバコンピュータであり、Ｗｅｂサーバ機能及び大容量のデータを保存するデータベース機能を備えている。クライアント端末２は、金融商品の売買を行う個人又は法人が所持し使用する、データ通信機能を有する通信端末であって、パーソナルコンピュータ、携帯電話端末等がこれに該当する。
【００２１】
クライアント端末２は、マウスやキーボードやタッチパネル等の各種指示を入力するために用いられる情報入力部２１、ＬＣＤ（Liquid Crystal Display）等からなり情報入力部２１から入力された各種指示や各種画像等を表示する表示部２２、情報入力部２１からの指示情報を受信し、表示部２２に表示情報を出力する制御部２３を有している。情報入力部２１は、２次元領域内に描画されたラインの始点から終点までの軌跡に対応した座標値情報を入力する。
【００２２】
図２は、図１に示したクライアント端末２における制御部２３の内部構成を示すブロック図であり、この制御部２３は、マイクロコンピュータ５０、入出力制御部６０、システムバス７１を備えている。
マイクロコンピュータ５０は、ＣＰＵ（Central Processing Unit、中央処理装置）５１、ＲＯＭ（Read Only Memory）５２、ＲＡＭ（Random
Access Memory）５３から構成される。入出力制御部６０は、グラフィック・コントローラ６１、入出力コントローラ６２、ビデオラム（ＶＲＡＭ）６３から構成される。
【００２３】
ＣＰＵ５１は、この装置全体の制御処理や各種の情報処理を行なう。ＲＯＭ５２は読み出し専用メモリであり、ＣＰＵ５１が参照する各種の処理プログラムを記憶している。ＲＡＭ５３は読み出し書き込み可能なメモリであり、ＣＰＵ５１が各種の処理を行なうとき等に使用するデータ保存エリアである。
グラフィック・コントローラ６１は、ビデオラム（ＶＲＡＭ）６３に対するデータの書き込み及び読み出しの制御処理を行なう。入出力コントローラ６２は、情報入力部２１から入力された各種指示入力（例えば、マウスでのクリック操作や手指でのタッチ操作など）からの入力制御処理と表示部２２に対する表示制御処理を司る。ビデオラム（ＶＲＡＭ）６３は、表示部２２に表示する情報を記憶するメモリであり、情報入力部２１によって入力された座標値情報を記憶する。
【００２４】
ＶＲＡＭ６３内には、マウスでのクリック操作や手指でのタッチ操作などで入力されたライン（線）の座標値情報（位置データ）を蓄積する入力情報蓄積／表示ＶＲＡＭエリアと、入力画面の各種メニューや操作ボタンやチャートなどを表示するためのグラフィック情報を蓄積するグラフィック情報蓄積／表示ＶＲＡＭエリアとを持つ。
【００２５】
ＣＰＵ５１の演算部５１ａは、ＶＲＡＭ６３内に記憶された座標値情報に対応する取引条件を演算する。算出部５１ｂは、ＶＲＡＭ６３内に記憶された座標値情報に基づいて、情報入力部２１によって描画されたラインの始点から終点までの軌跡における一定区間毎の傾斜角度を算出する。減算部５１ｃは、算出部５１ｂによって算出された一定区間毎の傾斜角度と該一定区間の始点方向の１つ隣りの傾斜角度との差を算出する。取引条件作成部５１ｄは、該角度差がプラスの所定値以上の場合、該一定区間の所定の座標値情報に対応して演算部５１ａによって演算された取引条件を第１の取引条件として作成し、該角度差がマイナスの所定値以下の場合、該所定の座標値情報に対応して演算部５１ａによって演算された取引条件を第２の取引条件として作成する。
【００２６】
ここで図１に戻って、図１には図示しないが、金融商品取引管理装置１は、少なくとも１のＣＰＵ、ＣＰＵの作業領域として機能するＲＡＭ、起動用ブートプログラム等が記録されたＲＯＭ、各種プログラムやデータ等が記録されるハードディスク等の補助記憶装置、データの送受信に用いる通信インターフェース等が設けられている。補助記憶装置には、ＯＳ（Operating System）用プログラム、各種アプリケーションプログラム、データベースに記録されたデータ等が記録されており、これらのプログラムやデータはＣＰＵの演算処理により、ハードウェア資源と協働して各種機能を実現する。
【００２７】
図１に示すように、金融商品取引管理装置１は、上述した各種プログラムとハードウェア資源とに基づいて実現される機能手段としてのデータ処理部１１、及びデータ処理部１１にて処理される各種データが記録されるデータベース１２を有する。データ処理部１１は金融商品取引管理装置１において用いる各種データの生成、加工等の処理を行うものであり、クライアント端末２からの大量のアクセスを処理するＷｅｂサーバ１３、アプリケーション層のプログラムを実行するアプリケーションサーバ（ＡＰサーバ）１４を有している。
【００２８】
データ処理部１１は、クライアント端末２から入力された各種の注文に関するデータを受け付け、金融商品の注文を成立させるために必要な各種処理を行う。そして、処理した情報に基づいて、成立した金融商品の注文に関する情報を生成する。ここでの注文には、いわゆる成行注文、指値注文に加え、イフダン注文（ＩＦＤ注文，順位のある２つの注文を同時に出し、第一順位の注文が成立したら、自動的に第二順位の注文が有効になる注文形式のこと。）、ＯＣＯ注文（２つの注文を同時に出し、いずれか一方の注文が成立したら、自動的にもう片方の注文がキャンセルになる注文形式のこと。）、イフダンＯＣＯ注文（イフダン注文とＯＣＯ注文を組み合わせた注文形式のこと。）も含まれる。
【００２９】
更に、データ処理部１１は、生成した注文に基づく約定処理、及び完了した約定処理に関する情報を顧客のクライアント端末２に送るための処理を行う。なお、ここでの「約定」とは、顧客の注文に基づいて金融商品の売買を成立されるための各種の手続及び処理のことをいう。
データ処理部１１において生成、加工処理されたデータは、データベース１２との間でデータを交信するために必要な処理が行われて、データベース１２にて記録されるデータとの変換（例えば論理的データ構造と物理的データ構造との相互変換）が行われる。
【００３０】
データベース１２は、金融商品取引管理装置１にて用いられるデータを記録する。本実施形態におけるデータベース１２は、例えばリレーショナルデータベースやオブジェクトデータベース等、大量のデータの記録や書換えに適したものであればどのような形式を用いてもよい。
【００３１】
図３は、本実施形態の金融商品取引入力装置２の入力画面を示す。図３に示すように、入力画面４１は、注文情報を描画して入力する描画入力エリア（情報入力部）２１と、その上部に取引可能な通貨の売買について入力する売買通過入力部４２ａ〜４２ｄと、その下部に取引条件を表示する注文内容表示部４４と、取引条件の変更が必要なときにあるときに対応する注文内容表示部４４について変更要請を入力する変更ボタン部４５と、最下段に注文を確定する確定部４６ａと一部入力した注文内容を取り消し初期状態に戻すリセット部４６ｂを備える。
【００３２】
描画入力エリア２１は、４角の平面（２次元）をマウスを使用してドラッグ（クリックした状態のままトレース）したり、指先やペン先で画面に圧力又は電気的の変化を与えて描画することができる。画面の横軸（Ｘ軸）は時間軸であり、縦軸（Ｙ軸）はレートが表示される。画面を全体的に移動させて、所望レート、例えば１米ドルあたりの円レートが７０円近傍について表示するようにすることができるが、図３では、１００円近傍について表示されている。
【００３３】
描画入力エリア２１に、１本または複数本のラインを描画すると、２次元の描画入力エリア２１内に描画されたラインによって特定される座標値情報が入力され、該座標値情報はＶＲＡＭ６３（「記憶手段」に相当する。図２の６３参照）に送られ、記憶される。該座標値情報に対応する取引条件はＣＰＵ５１の演算手段（図２の演算部５１ａ参照）によって演算され、その演算結果が取引条件作成部（「取引条件作成手段」に相当する。図２の５１ｄ参照）にて取引条件が作成されると、表示手段（図１の表示部２２参照）によって該取引条件が注文条件として注文内容表示部４４に表示される。ここで、「取引条件」とは売り又は買いの注文価格（売買注文価格）をいう。
【００３４】
注文内容表示部４４は、ＩＦＤ等の注文取引の種別を表示する注文種別欄４４ａ、第１から第３の取引条件について各々売買注文の種別を表示する第１から第３の売買種別欄４４ｂ，４４ｄ，４４ｆ、注文価格を表示する第１から第３の注文価格欄４４ｃ，４４ｅ，４４ｇを備える。
変更ボタン部４５は、注文内容表示部４４の各欄の傍にそれぞれ対応して配置される。つまり、入力画面４１の注文内容欄４４の注文種別欄４４ａ、第１の売買種別欄４４ｂ、第１の注文価格欄４４ｃ、第２の売買種別欄４４ｄ、第２の注文価格欄４４ｅ、第３の売買種別欄４４ｆ、第３の注文価格欄４４ｇのそれぞれの近傍に注文種別変更ボタン４５ａ、第１の売買種別変更ボタン４５ｂ、第１の注文価格変更ボタン４５ｃ、第２の売買種別変更ボタン４５ｄ、第２の注文価格変更ボタン４５ｅ、第３の売買種別変更ボタン４５ｆ、第３の注文価格変更ボタン４５ｇが設けられ、これらボタンにより表示された注文種別、売買種別、注文価格及びそれらの希望注文価格が変更される
【００３５】
［第２の実施形態］
次に、本発明に係る金融商品取引入力方法の一実施形態について説明する。
図４Ａ，Ｂは、本実施形態にかかる金融商品取引入力方法を示すフローチャートである。以下、該フローチャートに沿って、主に図３を参照しながら説明する。
【００３６】
図４Ａに示すように、マウスで描画入力エリア２１（図３参照）上の任意の位置をクリック（または、手指あるいはタッチペンでタッチ、以下同様）すると（ステップＳ１）、クリックした位置に対応する座標（ｘ1，ｙ1）が始点の座標値情報として取得され（ステップＳ２）、ＶＲＡＭ６３（図２参照）に記憶される。
【００３７】
更に、ラインＬ１（図３参照）のように描画入力エリア２１上をドラッグすると（ステップＳ３）、始点座標（ｘ１，ｙ１）から現在座標（ｘ，ｙ）までの座標に基づいて、入出力コントローラ６２（図２参照）の表示制御により、ラインＬ１が描画入力エリア２１上に表示され、ステップＳ４でクリックがオフしたか（マウスの左ボタンの押しが解除されたか）否かが判断される。クリックがオフしていない（ＮＯ）と判断されればステップＳ３へ戻りドラッグが継続する。
【００３８】
オフした（ＹＥＳ）と判断されればステップＳ５へ進み、ラインＬ１の始点座標（ｘ１，ｙ１）から終点座標（ｘ２，ｙ２）までの軌跡に対応した所定間隔毎（例えば、Ｘ軸座標の１画素間隔の座標値毎）の座標（ｘ，ｙ）が確定し、この確定した始点から終点までの座標値が座標値情報として取得され（ステップＳ５）、ＶＲＡＭ６３（図２参照）に記憶される。
【００３９】
次に、ステップＳ６で取得した各座標値情報におけるＹ軸の価格であるレート（Ｒ１，Ｒ２）がＣＰＵ５１の演算部５１ａによって演算され、ステップＳ７において取得した各座標値情報の軌跡について、グラフィック・コントローラ６１及びＶＲＡＭ６３により、軌跡を滑らかにするライン処理が施される。
【００４０】
ステップＳ８では、ラインＬ１を一定区間（例えば、Ｘ軸座標の１０画素相当分）でパート（線分）に分割し、各パート毎のＸ軸座標の最小点（前記線分を図表したときの左端点）と最大点（同右端点）の各座標値から、各パートの傾斜角度を算出する。
例えば、左端点に対して右端点のＹ軸座標の増加分が５画素とすると、Ｘ軸座標の増加分が１０画素なので、
角度Ｄ［度］＝ａｒｃｔａｎ（５／１０）ｘ１８０／π＝２６．４
となる。左端点に対して右端点のＹ軸座標が５画素減少しているならば、Ｄ＝−２６．４となる。
【００４１】
同様な方法で全てのパート（ｎ＝１〜Ｎ）について傾斜角度が算出され、ＲＡＭ５３に記憶される。
ステップＳ９において、ｎ番目のパートの傾斜角度Ｄｎから（ｎ−１）番目のパートの傾斜角度Ｄｎ−１が減算され、その値δＤｎの絶対値が一定値以上か否かが、２番目のパート（ｎ＝２）から最後のパート（ｎ＝Ｎ）まで順番に判断される。なお、角度差を判断するための一定値はラインの精度などを考慮して適宜設定される。
【００４２】
ステップＳ９において、ＹＥＳ（角度差有り）ならばステップＳ１０へ進み、ＮＯ（角度差無し）ならばステップＳ１３へ進む。ステップＳ１０では減算値δＤｎがプラスか否かが判断され、ＹＥＳであればステップＳ１１へ進み、そのパートの、例えば左端点のＹ座標の座標値情報に対応して演算された取引条件（価格）を第１の取引条件として作成し、ＲＡＭ５３に送るとステップＳ１３へ進む。ＮＯであれば、ステップＳ１２へ進み、そのパートの、例えば左端点のＹ座標の座標値情報に対応して演算された取引条件（価格）を第２の取引条件として作成し、ＲＡＭ５３に送るとステップＳ１３へ進む。第１及び第２の取引条件はＲＡＭ５３にてそれぞれ買い又は売り注文案として蓄積される。
【００４３】
ステップＳ１３にてｎがＮ（最後のパート）より小さいか否かが判断され、ＹＥＳならばステップＳ９に戻り、ステップＳ９において、（ｎ＋１）番目のパートの傾斜角度Ｄｎ＋１からｎ番目のパートの傾斜角度Ｄｎが減算され、その値δＤｎ＋１の絶対値が一定値以上か否かが判断されることが、２番目のパート（ｎ＝２）から最後のパート（ｎ＝Ｎ）まで順番に繰り返される。ＮＯならば、図４Ｂに示すステップＳ１４へ進む。
【００４４】
図４Ｂに示すステップＳ１４では間引き処理が行われる。間引き処理は、第１又は第２の取引条件の作成が続く場合に、一定の条件下該取引条件を無効にする処理である。
ステップＳ１５では買い注文案と売り注文案とを組み合わせてＩＦＤ注文として、その条件での注文種別、第１の注文の売買種別とその注文価格、第２の注文の売買種別とその注文価格が注文内容表示部４４（図３参照）に表示される。
注文内容表示部４４の注文種別欄４４ａに「ＩＦＤ」の注文表示がされると、ステップ１６に進む。
【００４５】
ステップＳ１６において、ストップロスのための逆指値注文（ＳＴＰ注文）を指示するために、描画入力エリア２１上に２本目のラインＬ２を水平にドラッグすると、図３に示すように、始点座標（ｘ３，ｙ３）からドラッグしている現在座標（ｘ，ｙ）までの座標値情報に基づいて、入出力コントローラ６２（図２参照）の表示制御により、ラインＬ２が描画入力エリア２１上に表示され、クリックをオフ（マウスの左ボタンの押しを解除）してドラッグが終わると、ラインＬ２の始点座標（ｘ３，ｙ３）と終点座標（ｘ４，ｙ４）が確定する。そして、該ラインがほぼ水平（例えば、始点、終点及びその中間点のＹ座標の平均値が所定値以下）に描画されたか否かが判断される。
【００４６】
ＮＯならば、ＳＴＰ注文は無効とされ、注文種別欄４４ａに「ＩＦＤ」が表示された状態のまま、ステップＳ１９へ進む。ＹＥＳならば、ラインＬ２の始点と終点のＹ軸座標の平均値Ｒ３の価格（第３の取引条件）がメモリに保存される。第３の取引条件はストップロスのための逆指値（ＳＴＰ価格）とされる（ステップＳ１７）。次いで、ステップＳ１８で注文種別欄４４ａに「ＩＦＤＯＣＯ」の注文表示がされ、ステップＳ１９へ進む。
【００４７】
ステップＳ１９では、顧客による注文内容の確認がされ、ＹＥＳであれば、その情報が情報入力部２１から制御部２３に送信される。ステップＳ２０にて注文内容が変更されるとステップＳ２１へ進む。ＮＯであれば、直接ステップＳ２１へ進み、入力画面４１の最下段に設けられた確定部４６ａが押され、注文が確定・実行されることによって終了する。
【００４８】
本実施形態では、ステップＳ４，Ｓ１６において、クリックがオフ（マウス左ボタンの押しの解除）されるとドラッグが終わるが、指やペンで描画するときには画面から指やペンが離れたときにドラッグが終わるようにすることができる。
また、本実施形態では、ステップＳ１６〜Ｓ１８において、２本目のラインを描画して逆指値注文（ＳＴＰ注文）を指示して、ＳＴＰレートを演算し、ＩＦＤＯＣＯ注文を表示させているが、これに限らず、２本目のラインを描画しないで、予めＳＴＰレートを「新規注文のレートに対して何ポイント逆方向のレート（損切りレート）にする」と設定して、「ＩＦＤＯＣＯ」注文を表示させるようにしてもよい。
【００４９】
＜ライン処理＞
図５(ａ）及び（ｂ）は、本実施形態に係るライン処理の一例を示す。
ライン処理は、グラフィック・コントローラ６１及びＶＲＡＭ６３により、軌跡を滑らかにする。描画入力エリア２１にラインＬ１を描画するとき、その軌跡は、全体としては例えば左から右に引かれるが、常に左から右に移動するとは限らない。例えば、図５（ａ）に示す描画ラインＬａにおける重複区間Ａのように、部分的に右から左に戻ってしまうような動きになってしまうことがある。このような場合に、ある時点（Ｘ軸座標）における値（Ｙ軸座標）は、最も新しく描画されたラインの座標が採用され、図５（ｂ）に示すラインＬｂのよう描画される。
【００５０】
図６は、本実施形態に係るライン処理の他の例を示す。図６に示すように、短い区間（例えば、３０画素の長さ）でラインの軌跡が小刻みに斜め上下に（例えば、１０画素以上）変化するラインＬｃのような軌跡になった場合、ライン処理が施され、その区間において前後２つの頂点ｐｋ１，ｐｋ２の座標の平均値の軌跡のライン（破線）Ｌｄに置き換えられる。このように滑らかなラインにしているのは、実際の為替相場は、世の中の事件や政府の市場介入などで大きく乱高下することがあるものの、顧客が相場を予測する段階ではこのような乱高下を考慮する必要がないと考えられるためである。
【００５１】
＜予測注文の具体例＞
図７は、予測注文を指示するために顧客が描画したラインの一例を示す。図７に示すラインＬ５は、上記のライン処理が施されて曲線軌跡が滑らかにされて表示されている状態である。ラインＬ５において、第１のポイントＰ１（以下、単に「Ｐ１」と記す。「Ｐ２」以降も同様。）は、直前のパートとの傾斜角度の差が有り、かつ傾斜角が直前のパートに対してプラス変化（傾斜角増加）したパートであるので、買い注文案Ｏ１が作成される。この価格ｒ１は、このパートの左端点座標におけるＹ座標の価格（100.30円）である。
【００５２】
Ｐ２は、直前のパートとの傾斜角度の差が有り、かつ傾斜角が直前のパートに対してプラス変化したパートであり、買い注文案Ｏ２が作成される。この価格ｒ２は、このパートの左端点座標におけるＹ座標の価格（100.40円）である。
Ｐ３は、直前のパートとの傾斜角度の差が有り、かつ傾斜角が直前のパートに対してプラス変化したパートであり、買い注文案Ｏ３が作成される。この価格ｒ３（図示せず）は、このパートの左端点座標におけるＹ座標の価格（101.55円）である。
【００５３】
Ｐ４は、直前のパートとの傾斜角度の差が有り、かつ傾斜角が直前のパートに対してマイナス変化（傾斜角減少）したパートであり、売り注文案Ｏ４が作成される。この価格ｒ４は、このパートの左端点座標におけるＹ座標の価格（101.70円）である。
Ｐ５は、直前のパートとの傾斜角度の差が有り、かつ傾斜角が直前のパートに対してマイナス変化したパートであり、売り注文案Ｏ５が作成される。この価格ｒ５は、このパートの左端点座標におけるＹ座標の価格（101.80円）である。
【００５４】
Ｐ６は、直前のパートとの傾斜角度の差が有り、かつ傾斜角が直前のパートに対してマイナス変化したパートであり、売り注文案Ｏ６が作成される。この価格ｒ６（図示せず）は、このパートの左端点座標におけるＹ座標の価格（101.55円）である。
Ｐ７は、直前のパートとの傾斜角度の差が有り、かつ傾斜角が直前のパートに対してマイナス変化したパートであり、で売り注文案Ｏ７が作成される。この価格ｒ７（図示せず）は、このパートの左端点座標におけるＹ座標の価格（101.05円）である。
【００５５】
Ｐ８は、直前のパートとの傾斜角度の差が有り、かつ傾斜角が直前のパートに対してプラス変化したパートであり、買い注文案Ｏ８が作成される。この価格ｒ８（図示せず）は、このパートの左端点座標におけるＹ座標の価格（99.85円）である。
Ｐ９は、直前のパートとの傾斜角度の差が有り、かつ傾斜角が直前のパートに対してマイナス変化したパートであり、売り注文案Ｏ９が作成される。この価格ｒ９（図示せず）は、このパートの左端点座標におけるＹ座標の価格（100.45円）である。
【００５６】
Ｐ１０は、直前のパートとの傾斜角度の差が有り、かつ傾斜角が直前のパートに対してマイナス変化したパートであり、売り注文案Ｏ１０が作成される。この価格ｒ１０（図示せず）は、このパートの左端点座標におけるＹ座標の価格（100.15円）である。
注文案Ｏ１〜Ｏ１０は間引き処理を行うことができる。具体的には、所定数を設定しておき、その数までは第１又は第２の取引条件のいずれか一方を有効とし、それを超える取引条件は無効とする。これにより、取引条件つまり注文数に絞ることができるので、顧客の売買資力や取引経験等により取引数を減らし、より安全な取引を達成することができる。
【００５７】
例えば、所定数を「２」と設定した場合には、買い注文案Ｏ１、Ｏ２は有効となるが、買い注文案Ｏ３は無効となる。売り注文案Ｏ４、Ｏ５は、買い注文案Ｏ１、Ｏ２のそれぞれＩＦＤ注文の売り注文案として有効となる。売り注文案Ｏ６、Ｏ７は、それぞれ新規の売り注文案として有効となる。
【００５８】
買い注文案Ｏ８は売り注文案Ｏ６に対する買い注文案として有効となり、売り注文案Ｏ８は新規の売り注文案として有効となるが、売り注文案Ｏ１０は無効となる。有効となった注文案については、その条件での注文種別、注文内容、注文価格が注文内容表示部４４の所定場所に表示される。
【００５９】
図８は、クライアント端末２の表示画面４１の一例を示すイメージ図である。買い注文案Ｏ１と売り注文案Ｏ５を組み合わせたＩＦＤ注文の場合、図８に示すように、注文内容表示部４４には、注文種別欄４４ａに「ＩＦＤ」と、買い注文案Ｏ１に対応する第１の売買種別は第１の売買種別欄４４ｂに「新規買い」と、第１の注文価格欄４４ｃに買い注文価格ｒ１が「100.30円」と、注文案Ｏ５に対応する第２の売買種別は第２の売買種別欄４４ｄに「決済売り」と、第２の注文価格欄４４ｅに売り注文価格ｒ５が「101.80円」とそれぞれ表示される。
【００６０】
買い注文案Ｏ２と売り注文案Ｏ４を組み合わせたＩＦＤ注文の場合、図示は省略するが、図８と同様に、注文種別は「ＩＦＤ」であり、買い注文案Ｏ２に対応する第１の売買種別は「新規買い」、買い注文価格ｒ２が「100.40円」、売り注文案Ｏ４に対応する第２の売買種別は「決済売り」、売り注文価格ｒ４が「101.70円」とそれぞれ表示される。
【００６１】
図９は、クライアント端末２の表示画面４１の他の例を示すイメージ図である。図９に示すように、表示画面４１の描画入力エリア２１内に２本目のラインＬ６が描画された場合、注文内容表示部４４には、注文種別欄４４ａに「ＩＦＤＯＣＯ（イフダンＯＣＯ注文）」と、第１の売買種別欄４４ｂに「新規買い」と、第１の注文価格欄４４ｃに買い注文価格ｒ１が「100.30円」と、第２の売買種別欄４４ｄに「決済売り」と、第２の注文価格欄４４ｅに売り注文価格ｒ５が「101.80円」と、第３の売買種別欄４４ｆに「決済売りＳＴＰ」と、第３の注文価格欄４４ｇに逆指値（ＳＴＰ価格）レートｒ１１が「99.70円」がそれぞれ表示される。
【００６２】
上述したように、予測注文を指示するために、クライアント端末２の描画入力エリア２１上で、顧客が予測するレート変動に対応して、Ｘ軸の時間方向に対してＹ軸のレート（例えば、１ドルあたりの円レート）を示す形状のラインを描画することで簡単に入力することができ、ＩＦＤ注文などの注文種別、新規注文・決済注文などの売買種別、買い注文価格、売り注文価格などの注文条件を指定して指値注文を行うことができる。
【００６３】
なお、注文内容を変更する場合、上述した変更ボタンによる変更の他、描画したラインを取り消して新たなラインを描画することで注文内容（レートなど）を変更することや、あるいは、描画したラインの一部分をドラッグして曲線軌跡を変更することでも注文内容を変更できる。
【００６４】
上記態様では、コンピュータを上記記載の金融商品取引入力装置として機能させる、あるいはコンピュータに上記記載の金融商品取引入力方法を実行させるプログラムを提供することができる。このことによって、本発明の金融商品取引入力装置あるいは金融商品取引入力方法をプログラム化し、多様なコンピュータハードウェア上で実現させることができる。
また、本発明は、上述の外国為替に限定されず、株式相場や金・石油・とうもろこしなどの商品相場等の相場価格が変動する金融商品に適用できる。
【符号の説明】
【００６５】
１      金融商品取引管理装置
２，２１，・・・，２Ｎ  クライアント端末
３      インターネット
１１    データ処理部
１２    データベース
１３    Ｗｅｂサーバ
１４    アプリケーションサーバ（ＡＰサーバ）
２１    情報入力部（情報入力手段），描画入力エリア
２２    表示部
２３    制御部
４１    入力画面
４２ａ〜４２ｄ  売買希望入力ボタン
４４    注文内容表示部
４４ａ  注文種別欄
４４ｂ，ｄ，ｆ  第１乃至第３の売買種別欄
４４ｃ，ｅ，ｇ  第１乃至第３の注文価格欄
４５    変更ボタン部
４５ａ  注文種別変更ボタン
４５ｂ，ｄ，ｆ  第１乃至第３の売買種別変更ボタン
４５ｃ，ｅ，ｇ  第１乃至第３の注文価格変更ボタン
４６ａ  確定部
４６ｂ  リセット部
５０    マイクロコンピュータ
５１    ＣＰＵ
５１ａ  演算部（演算手段）
５１ｂ  算出部（算出手段）
５１ｃ  減算部（減算手段）
５１ｄ  取引条件作成部（取引条件作成手段）
５２    ＲＯＭ
５３    ＲＡＭ
６０    入出力制御部
６１    グラフィック・コントローラ
６２    入出力コントローラ
６３    ビデオラム（ＶＲＡＭ、記憶手段）
７１    システムバス
１００  金融商品取引管理システム
【図１】
0005363547.tif 000002
【図２】
0005363547.tif 000003
【図３】
0005363547.tif 000004
【図４Ａ】
0005363547.tif 000005
【図４Ｂ】
0005363547.tif 000006
【図５】
0005363547.tif 000007
【図６】
0005363547.tif 000008
【図７】
0005363547.tif 000009
【図８】
0005363547.tif 000010
【図９】
0005363547.tif 000011